(57)【特許請求の範囲】
【請求項１】
所定の地域の電力需要を賄う複数の太陽光発電所の電力供給量を制御する電力供給制御装置であって、
前記複数の太陽光発電所それぞれの一日の発電量の予測値である予測発電量、および前記所定の地域の一日の電力需要の予測値である予測需要量が記憶された記憶手段と、
各太陽光発電所の予測発電量に基づいて前記予測需要量を各太陽光発電所に割り振る第１の処理、および、各太陽光発電所に割り振られた予測需要量と各太陽光発電所の実際の発電量との比較結果に従い太陽光発電所単位に電力供給量を制御する第２の処理、を行う制御手段と、
を備え、
前記制御手段は、前記第１の処理において、
指定された時間帯の電力供給を制限する出力制限の要請を受けた太陽光発電所が存在すると判断した場合に、出力制限前に当該出力制限に対する準備を行うための準備時間帯を設定し、
準備時間帯および出力制限時間帯以外の時間帯については、各太陽光発電所の予測発電量の比に応じて前記予測需要量を各太陽光発電所に割り振り、
準備時間帯については、前記予測発電量の比の値を、制限対象の太陽光発電所に割り振る予測需要量の割合を増やしかつ制限対象外の太陽光発電所に割り振る予測需要量の割合を減らすように補正し、補正後の比に応じて前記予測需要量を各太陽光発電所に割り振り、
出力制限時間帯については、前記予測発電量の比の値を、制限対象外の太陽光発電所に割り振る予測需要量の割合を増やすように補正し、補正後の比に応じて前記予測需要量を各太陽光発電所に割り振る、
ことを特徴とする電力供給制御装置。
【請求項２】
前記制御手段は、前記第１の処理において、
出力制限の要請を受けた太陽光発電所が存在しないと判断した場合に、各太陽光発電所の予測発電量の比に応じて前記予測需要量を各太陽光発電所に割り振る、
ことを特徴とする請求項１に記載の電力供給制御装置。
【請求項３】
所定の地域の電力需要を賄う複数の太陽光発電所の電力供給量を制御する電力供給制御装置であって、
前記複数の太陽光発電所それぞれの一日の発電量の予測値である予測発電量、前記所定の地域の一日の電力需要の予測値である予測需要量、および各太陽光発電所の一日の充電量の予測値である予測充電量が記憶された記憶手段と、
各太陽光発電所の予測発電量および予測充電量に基づいて前記予測需要量を各太陽光発電所に割り振る第１の処理、および、各太陽光発電所に割り振られた予測需要量と各太陽光発電所の実際の発電量との比較結果に従い太陽光発電所単位に電力供給量を制御する第２の処理、を行う制御手段と、
を備え、
前記制御手段は、前記第１の処理において、
指定された時間帯の電力供給を制限する出力制限の要請を受けた太陽光発電所が存在すると判断した場合に、出力制限前に当該出力制限に対する準備を行うための準備時間帯を設定し、
準備時間帯および出力制限時間帯以外の時間帯については、各太陽光発電所の予測発電量と予測充電量とを合計した電力量の比に応じて前記予測需要量を各太陽光発電所に割り振り、
準備時間帯については、前記合計した電力量の比の値を、制限対象の太陽光発電所に割り振る予測需要量の割合を増やしかつ制限対象外の太陽光発電所に割り振る予測需要量の割合を減らすように補正し、補正後の比に応じて前記予測需要量を各太陽光発電所に割り振り、
出力制限時間帯については、前記合計した電力量の比の値を、制限対象外の太陽光発電所に割り振る予測需要量の割合を増やすように補正し、補正後の比に応じて前記予測需要量を各太陽光発電所に割り振る、
ことを特徴とする電力供給制御装置。
【請求項４】
前記制御手段は、前記第１の処理において、
出力制限の要請を受けた太陽光発電所が存在しないと判断した場合に、各太陽光発電所の予測発電量と予測充電量とを合計した電力量の比に応じて前記予測需要量を各太陽光発電所に割り振る、
ことを特徴とする請求項３に記載の電力供給制御装置。
【請求項５】
前記制御手段は、前記第２の処理において、
制限対象外の太陽光発電所に対し、割り振られた予測需要量に応じた電力供給を行うための制御とともに、実際の発電量が当該予測需要量を超える場合には充電を行うための制御、実際の発電量が当該予測需要量を下回る場合には放電を行うための制御、を通常処理として行い、
制限対象の太陽光発電所に対し、出力制限時間帯については、電力供給を制限するための制御とともに、制限を超える発電電力の充電を行うための制御、を例外処理として行い、出力制限時間帯以外の時間帯については前記通常処理を行う、
ことを特徴とする請求項１〜４のいずれか１つに記載の電力供給制御装置。
【請求項６】
前記各太陽光発電所の予測発電量および前記予測需要量は、それぞれ所定時間間隔毎の予測値として前記記憶手段に予め記憶され、
前記制御手段は、
前記第１の処理を所定時間間隔毎の予測値を単位として行い、太陽光発電所が発電を開始する時刻までに当該第１の処理を完了する、
ことを特徴とする請求項１〜５のいずれか１つに記載の電力供給制御装置。
【請求項７】
前記各太陽光発電所の予測発電量および前記予測需要量として、所定の時刻が検出される都度、その時刻における最新の予測値が、前記記憶手段にリアルタイムに記憶され、
前記制御手段は、
前記第１の処理として、所定の時刻毎に、前記記憶手段に記憶された最新の予測需要量を各太陽光発電所に割り振り、
前記第２の処理として、所定の時刻毎に、直前の時刻において割り振られた各太陽光発電所の予測需要量と現在時刻の各太陽光発電所の実際の発電量とを比較し、その比較結果に従い太陽光発電所単位に電力供給量を制御し、
前記第１の処理と前記第２の処理を並行して行う、
ことを特徴とする請求項１〜５のいずれか１つに記載の電力供給制御装置。
【請求項８】
所定の地域の電力需要を賄う複数の太陽光発電所の電力供給量を制御する電力供給制御装置による電力供給制御方法であって、
制御部が、前記複数の太陽光発電所それぞれの一日の発電量の予測値である予測発電量、および前記所定の地域の一日の電力需要の予測値である予測需要量を記憶部に記憶させる記憶ステップと、
制御部が、指定された時間帯の電力供給を制限する出力制限の要請を受けた太陽光発電所が存在すると判断した場合に、出力制限前に当該出力制限に対する準備を行うための準備時間帯を設定する設定ステップと、
制御部が、準備時間帯および出力制限時間帯以外の時間帯において、各太陽光発電所の予測発電量の比に応じて前記予測需要量を各太陽光発電所に割り振る第１の割振ステップと、
制御部が、準備時間帯において、前記予測発電量の比の値を、制限対象の太陽光発電所に割り振る予測需要量の割合を増やしかつ制限対象外の太陽光発電所に割り振る予測需要量の割合を減らすように補正し、補正後の比に応じて前記予測需要量を各太陽光発電所に割り振る第２の割振ステップと、
制御部が、出力制限時間帯において、前記予測発電量の比の値を、制限対象外の太陽光発電所に割り振る予測需要量の割合を増やすように補正し、補正後の比に応じて前記予測需要量を各太陽光発電所に割り振る第３の割振ステップと、
制御部が、各太陽光発電所に割り振られた予測需要量と各太陽光発電所の実際の発電量とを比較し、その比較結果に従い太陽光発電所単位に電力供給量を制御する制御ステップと、
を含むことを特徴とする電力供給制御方法。
【請求項９】
さらに、
制御部が、出力制限の要請を受けた太陽光発電所が存在しないと判断した場合に、各太陽光発電所の予測発電量の比に応じて前記予測需要量を各太陽光発電所に割り振る第４の割振ステップ、
を含むことを特徴とする請求項８に記載の電力供給制御方法。
【請求項１０】
所定の地域の電力需要を賄う複数の太陽光発電所の電力供給量を制御する電力供給制御装置による電力供給制御方法であって、
制御部が、前記複数の太陽光発電所それぞれの一日の発電量の予測値である予測発電量、前記所定の地域の一日の電力需要の予測値である予測需要量、および各太陽光発電所の一日の充電量の予測値である予測充電量を記憶部に記憶させる記憶ステップと、
制御部が、指定された時間帯の電力供給を制限する出力制限の要請を受けた太陽光発電所が存在すると判断した場合に、出力制限前に当該出力制限に対する準備を行うための準備時間帯を設定する設定ステップと、
制御部が、準備時間帯および出力制限時間帯以外の時間帯において、各太陽光発電所の予測発電量と予測充電量とを合計した電力量の比に応じて前記予測需要量を各太陽光発電所に割り振る第１の割振ステップと、
制御部が、準備時間帯において、前記合計した電力量の比の値を、制限対象の太陽光発電所に割り振る予測需要量の割合を増やしかつ制限対象外の太陽光発電所に割り振る予測需要量の割合を減らすように補正し、補正後の比に応じて前記予測需要量を各太陽光発電所に割り振る第２の割振ステップと、
制御部が、出力制限時間帯において、前記合計した電力量の比の値を、制限対象外の太陽光発電所に割り振る予測需要量の割合を増やすように補正し、補正後の比に応じて前記予測需要量を各太陽光発電所に割り振る第３の割振ステップと、
制御部が、各太陽光発電所に割り振られた予測需要量と各太陽光発電所の実際の発電量とを比較し、その比較結果に従い太陽光発電所単位に電力供給量を制御する制御ステップと、
を含むことを特徴とする電力供給制御方法。
【請求項１１】
さらに、
制御部が、出力制限の要請を受けた太陽光発電所が存在しないと判断した場合に、各太陽光発電所の予測発電量と予測充電量とを合計した電力量の比に応じて前記予測需要量を各太陽光発電所に割り振る第４の割振ステップ、
を含むことを特徴とする請求項１０に記載の電力供給制御方法。
【請求項１２】
前記制御ステップでは、制御部が、
制限対象外の太陽光発電所に対し、割り振られた予測需要量に応じた電力供給を行うための制御とともに、実際の発電量が当該予測需要量を超える場合には充電を行うための制御、実際の発電量が当該予測需要量を下回る場合には放電を行うための制御、を通常処理として行い、
制限対象の太陽光発電所に対し、出力制限時間帯については、電力供給を制限するための制御とともに、制限を超える発電電力の充電を行うための制御、を例外処理として行い、出力制限時間帯以外の時間帯については前記通常処理を行う、
ことを特徴とする請求項８〜１１のいずれか１つに記載の電力供給制御方法。
【請求項１３】
所定の地域の電力需要を賄う複数の太陽光発電所の電力供給量を制御する電力供給制御装置として動作するコンピュータにより実行される電力供給制御プログラムであって、
制御部が、前記複数の太陽光発電所それぞれの一日の発電量の予測値である予測発電量、および前記所定の地域の一日の電力需要の予測値である予測需要量を記憶部に記憶させる記憶ステップと、
制御部が、指定された時間帯の電力供給を制限する出力制限の要請を受けた太陽光発電所が存在すると判断した場合に、出力制限前に当該出力制限に対する準備を行うための準備時間帯を設定する設定ステップと、
制御部が、準備時間帯および出力制限時間帯以外の時間帯において、各太陽光発電所の予測発電量の比に応じて前記予測需要量を各太陽光発電所に割り振る第１の割振ステップと、
制御部が、準備時間帯において、前記予測発電量の比の値を、制限対象の太陽光発電所に割り振る予測需要量の割合を増やしかつ制限対象外の太陽光発電所に割り振る予測需要量の割合を減らすように補正し、補正後の比に応じて前記予測需要量を各太陽光発電所に割り振る第２の割振ステップと、
制御部が、出力制限時間帯において、前記予測発電量の比の値を、制限対象外の太陽光発電所に割り振る予測需要量の割合を増やすように補正し、補正後の比に応じて前記予測需要量を各太陽光発電所に割り振る第３の割振ステップと、
制御部が、出力制限の要請を受けた太陽光発電所が存在しないと判断した場合に、各太陽光発電所の予測発電量の比に応じて前記予測需要量を各太陽光発電所に割り振る第４の割振ステップと、
制御部が、制限対象外の太陽光発電所に対し、割り振られた予測需要量に応じた電力供給を行うための制御とともに、実際の発電量が当該予測需要量を超える場合には充電を行うための制御、実際の発電量が当該予測需要量を下回る場合には放電を行うための制御、を通常処理として行う第１の制御ステップと、
制御部が、制限対象の太陽光発電所に対し、出力制限時間帯については、電力供給を制限するための制御とともに、制限を超える発電電力の充電を行うための制御、を例外処理として行い、出力制限時間帯以外の時間帯については前記通常処理を行う第２の制御ステップと、
をコンピュータに実行させることを特徴とする電力供給制御プログラム。
【請求項１４】
所定の地域の電力需要を賄う複数の太陽光発電所の電力供給量を制御する電力供給制御装置として動作するコンピュータにより実行される電力供給制御プログラムであって、
制御部が、前記複数の太陽光発電所それぞれの一日の発電量の予測値である予測発電量、前記所定の地域の一日の電力需要の予測値である予測需要量、および各太陽光発電所の一日の充電量の予測値である予測充電量を記憶部に記憶させる記憶ステップと、
制御部が、指定された時間帯の電力供給を制限する出力制限の要請を受けた太陽光発電所が存在すると判断した場合に、出力制限前に当該出力制限に対する準備を行うための準備時間帯を設定する設定ステップと、
制御部が、準備時間帯および出力制限時間帯以外の時間帯において、各太陽光発電所の予測発電量と予測充電量とを合計した電力量の比に応じて前記予測需要量を各太陽光発電所に割り振る第１の割振ステップと、
制御部が、準備時間帯において、前記合計した電力量の比の値を、制限対象の太陽光発電所に割り振る予測需要量の割合を増やしかつ制限対象外の太陽光発電所に割り振る予測需要量の割合を減らすように補正し、補正後の比に応じて前記予測需要量を各太陽光発電所に割り振る第２の割振ステップと、
制御部が、出力制限時間帯において、前記合計した電力量の比の値を、制限対象外の太陽光発電所に割り振る予測需要量の割合を増やすように補正し、補正後の比に応じて前記予測需要量を各太陽光発電所に割り振る第３の割振ステップと、
制御部が、出力制限の要請を受けた太陽光発電所が存在しないと判断した場合に、各太陽光発電所の予測発電量と予測充電量とを合計した電力量の比に応じて前記予測需要量を各太陽光発電所に割り振る第４の割振ステップと、
制御部が、制限対象外の太陽光発電所に対し、割り振られた予測需要量に応じた電力供給を行うための制御とともに、実際の発電量が当該予測需要量を超える場合には充電を行うための制御、実際の発電量が当該予測需要量を下回る場合には放電を行うための制御、を通常処理として行う第１の制御ステップと、
制御部が、制限対象の太陽光発電所に対し、出力制限時間帯については、電力供給を制限するための制御とともに、制限を超える発電電力の充電を行うための制御、を例外処理として行い、出力制限時間帯以外の時間帯については前記通常処理を行う第２の制御ステップと、
をコンピュータに実行させることを特徴とする電力供給制御プログラム。
【発明の詳細な説明】
【技術分野】
【０００１】
本発明は、太陽光発電所の電力供給量を制御する電力供給制御装置、電力供給制御方法および電力供給制御プログラムに関する。
【背景技術】
【０００２】
従来から、太陽光発電における出力電力の変動を抑制する技術の１つとして、蓄電池を備えた発電システムの開発が進められている。
【０００３】
下記特許文献１には、太陽電池と、太陽電池に接続されるとともに電力系統に接続されるインバータと、インバータと太陽電池とを接続する母線に接続された充放電部と、充放電部に接続された蓄電手段とを備えた発電システムが開示されている。このシステムでは、太陽電池の発電電力の変動に応じて蓄電手段が充放電を行うように充放電部を制御することにより、インバータ出力の変動を抑制している。
【０００４】
また、下記特許文献２には、発電装置と、発電した電力を蓄電可能な蓄電手段とを備えた発電システムとして、発電電力が第１電力から第２電力に変化した際の変化量が所定の変化量以上の場合に蓄電手段の充放電を制御する発電システムが開示されている。このシステムでは、発電電力の変化量が所定の変化量よりも小さい場合に充放電を行わないように制御することにより、蓄電手段の充放電回数を減らしつつ、太陽光発電における出力電力の変動を抑制している。
【先行技術文献】
【特許文献】
【０００５】
【特許文献１】特許５３５４８４０号公報
【特許文献２】特許５４７９１８２号公報
【発明の概要】
【発明が解決しようとする課題】
【０００６】
しかしながら、上記引用文献に記載された技術は、太陽光発電を行っている発電所それ自体の出力電力の変動を抑制することを目的としたものであり、他の発電所の出力変動を抑制するために自発電所の出力電力を調整するものではない。すなわち、特定の電力会社が管轄する地域の電力需要を満たすために、複数の太陽光発電所が連携して出力電力を調整するものではない。
【０００７】
たとえば、特定の太陽光発電所が出力制限等の要請を受けて出力電力が０または大幅に抑制された場合には、他の発電所が連携し、その地域の電力需要を満たすよう供給電力を調整する必要があるが、上記引用文献に記載された技術においては、このようなケースに対応可能な技術が記載されていない。
【０００８】
本発明は、上記に鑑みてなされたものであって、特定の地域の電力需要を複数の太陽光発電所の発電で賄う場合において、その地域の電力需要の不足分を補うために各発電所の電力供給量を制御可能な電力供給制御装置、電力供給制御方法および電力供給制御プログラムを提供することを目的とする。
【課題を解決するための手段】
【０００９】
上述した課題を解決し、目的を達成するために、本発明にかかる電力供給制御装置は、所定の地域の電力需要を賄う複数の太陽光発電所の電力供給量を制御する電力供給制御装置であって、複数の太陽光発電所それぞれの一日の発電量の予測値である予測発電量、および所定の地域の一日の電力需要の予測値である予測需要量が記憶された記憶手段と、各太陽光発電所の予測発電量に基づいて予測需要量を各太陽光発電所に割り振る第１の処理、および、各太陽光発電所に割り振られた予測需要量と各太陽光発電所の実際の発電量との比較結果に従い太陽光発電所単位に電力供給量を制御する第２の処理、を行う制御手段と、を備え、制御手段は、第１の処理において、指定された時間帯の電力供給を制限する出力制限の要請を受けた太陽光発電所が存在すると判断した場合に、出力制限前に当該出力制限に対する準備を行うための準備時間帯を設定し、準備時間帯および出力制限時間帯以外の時間帯については、各太陽光発電所の予測発電量の比に応じて予測需要量を各太陽光発電所に割り振り、準備時間帯については、予測発電量の比の値を、制限対象の太陽光発電所に割り振る予測需要量の割合を増やしかつ制限対象外の太陽光発電所に割り振る予測需要量の割合を減らすように補正し、補正後の比に応じて予測需要量を各太陽光発電所に割り振り、出力制限時間帯については、予測発電量の比の値を、制限対象外の太陽光発電所に割り振る予測需要量の割合を増やすように補正し、補正後の比に応じて予測需要量を各太陽光発電所に割り振る、ことを特徴とする。
【００１０】
また、つぎの発明にかかる電力供給制御装置は、所定の地域の電力需要を賄う複数の太陽光発電所の電力供給量を制御する電力供給制御装置であって、複数の太陽光発電所それぞれの一日の発電量の予測値である予測発電量、所定の地域の一日の電力需要の予測値である予測需要量、および各太陽光発電所の一日の充電量の予測値である予測充電量が記憶された記憶手段と、各太陽光発電所の予測発電量および予測充電量に基づいて予測需要量を各太陽光発電所に割り振る第１の処理、および、各太陽光発電所に割り振られた予測需要量と各太陽光発電所の実際の発電量との比較結果に従い太陽光発電所単位に電力供給量を制御する第２の処理、を行う制御手段と、を備え、制御手段は、第１の処理において、指定された時間帯の電力供給を制限する出力制限の要請を受けた太陽光発電所が存在すると判断した場合に、出力制限前に当該出力制限に対する準備を行うための準備時間帯を設定し、準備時間帯および出力制限時間帯以外の時間帯については、各太陽光発電所の予測発電量と予測充電量とを合計した電力量の比に応じて予測需要量を各太陽光発電所に割り振り、準備時間帯については、合計した電力量の比の値を、制限対象の太陽光発電所に割り振る予測需要量の割合を増やしかつ制限対象外の太陽光発電所に割り振る予測需要量の割合を減らすように補正し、補正後の比に応じて予測需要量を各太陽光発電所に割り振り、出力制限時間帯については、合計した電力量の比の値を、制限対象外の太陽光発電所に割り振る予測需要量の割合を増やすように補正し、補正後の比に応じて予測需要量を各太陽光発電所に割り振る、ことを特徴とする。
【００１１】
また、つぎの発明にかかる電力供給制御方法は、所定の地域の電力需要を賄う複数の太陽光発電所の電力供給量を制御する電力供給制御装置による電力供給制御方法であって、制御部が、複数の太陽光発電所それぞれの一日の発電量の予測値である予測発電量、および所定の地域の一日の電力需要の予測値である予測需要量を記憶部に記憶させる記憶ステップと、制御部が、指定された時間帯の電力供給を制限する出力制限の要請を受けた太陽光発電所が存在すると判断した場合に、出力制限前に当該出力制限に対する準備を行うための準備時間帯を設定する設定ステップと、制御部が、準備時間帯および出力制限時間帯以外の時間帯において、各太陽光発電所の予測発電量の比に応じて予測需要量を各太陽光発電所に割り振る第１の割振ステップと、制御部が、準備時間帯において、予測発電量の比の値を、制限対象の太陽光発電所に割り振る予測需要量の割合を増やしかつ制限対象外の太陽光発電所に割り振る予測需要量の割合を減らすように補正し、補正後の比に応じて予測需要量を各太陽光発電所に割り振る第２の割振ステップと、制御部が、出力制限時間帯において、予測発電量の比の値を、制限対象外の太陽光発電所に割り振る予測需要量の割合を増やすように補正し、補正後の比に応じて予測需要量を各太陽光発電所に割り振る第３の割振ステップと、制御部が、各太陽光発電所に割り振られた予測需要量と各太陽光発電所の実際の発電量とを比較し、その比較結果に従い太陽光発電所単位に電力供給量を制御する制御ステップと、を含むことを特徴とする。
【００１２】
また、つぎの発明にかかる電力供給制御方法は、所定の地域の電力需要を賄う複数の太陽光発電所の電力供給量を制御する電力供給制御装置による電力供給制御方法であって、制御部が、複数の太陽光発電所それぞれの一日の発電量の予測値である予測発電量、所定の地域の一日の電力需要の予測値である予測需要量、および各太陽光発電所の一日の充電量の予測値である予測充電量を記憶部に記憶させる記憶ステップと、制御部が、指定された時間帯の電力供給を制限する出力制限の要請を受けた太陽光発電所が存在すると判断した場合に、出力制限前に当該出力制限に対する準備を行うための準備時間帯を設定する設定ステップと、制御部が、準備時間帯および出力制限時間帯以外の時間帯において、各太陽光発電所の予測発電量と予測充電量とを合計した電力量の比に応じて予測需要量を各太陽光発電所に割り振る第１の割振ステップと、制御部が、準備時間帯において、合計した電力量の比の値を、制限対象の太陽光発電所に割り振る予測需要量の割合を増やしかつ制限対象外の太陽光発電所に割り振る予測需要量の割合を減らすように補正し、補正後の比に応じて予測需要量を各太陽光発電所に割り振る第２の割振ステップと、制御部が、出力制限時間帯において、合計した電力量の比の値を、制限対象外の太陽光発電所に割り振る予測需要量の割合を増やすように補正し、補正後の比に応じて予測需要量を各太陽光発電所に割り振る第３の割振ステップと、制御部が、各太陽光発電所に割り振られた予測需要量と各太陽光発電所の実際の発電量とを比較し、その比較結果に従い太陽光発電所単位に電力供給量を制御する制御ステップと、を含むことを特徴とする。
【００１３】
また、つぎの発明にかかる電力供給制御プログラムは、所定の地域の電力需要を賄う複数の太陽光発電所の電力供給量を制御する電力供給制御装置として動作するコンピュータにより実行される電力供給制御プログラムであって、制御部が、複数の太陽光発電所それぞれの一日の発電量の予測値である予測発電量、および所定の地域の一日の電力需要の予測値である予測需要量を記憶部に記憶させる記憶ステップと、制御部が、指定された時間帯の電力供給を制限する出力制限の要請を受けた太陽光発電所が存在すると判断した場合に、出力制限前に当該出力制限に対する準備を行うための準備時間帯を設定する設定ステップと、制御部が、準備時間帯および出力制限時間帯以外の時間帯において、各太陽光発電所の予測発電量の比に応じて予測需要量を各太陽光発電所に割り振る第１の割振ステップと、制御部が、準備時間帯において、予測発電量の比の値を、制限対象の太陽光発電所に割り振る予測需要量の割合を増やしかつ制限対象外の太陽光発電所に割り振る予測需要量の割合を減らすように補正し、補正後の比に応じて予測需要量を各太陽光発電所に割り振る第２の割振ステップと、制御部が、出力制限時間帯において、予測発電量の比の値を、制限対象外の太陽光発電所に割り振る予測需要量の割合を増やすように補正し、補正後の比に応じて予測需要量を各太陽光発電所に割り振る第３の割振ステップと、制御部が、出力制限の要請を受けた太陽光発電所が存在しないと判断した場合に、各太陽光発電所の予測発電量の比に応じて予測需要量を各太陽光発電所に割り振る第４の割振ステップと、制御部が、制限対象外の太陽光発電所に対し、割り振られた予測需要量に応じた電力供給を行うための制御とともに、実際の発電量が当該予測需要量を超える場合には充電を行うための制御、実際の発電量が当該予測需要量を下回る場合には放電を行うための制御、を通常処理として行う第１の制御ステップと、制御部が、制限対象の太陽光発電所に対し、出力制限時間帯については、電力供給を制限するための制御とともに、制限を超える発電電力の充電を行うための制御、を例外処理として行い、出力制限時間帯以外の時間帯については通常処理を行う第２の制御ステップと、をコンピュータに実行させることを特徴とする。
【００１４】
また、つぎの発明にかかる電力供給制御プログラムは、所定の地域の電力需要を賄う複数の太陽光発電所の電力供給量を制御する電力供給制御装置として動作するコンピュータにより実行される電力供給制御プログラムであって、制御部が、複数の太陽光発電所それぞれの一日の発電量の予測値である予測発電量、所定の地域の一日の電力需要の予測値である予測需要量、および各太陽光発電所の一日の充電量の予測値である予測充電量を記憶部に記憶させる記憶ステップと、制御部が、指定された時間帯の電力供給を制限する出力制限の要請を受けた太陽光発電所が存在すると判断した場合に、出力制限前に当該出力制限に対する準備を行うための準備時間帯を設定する設定ステップと、制御部が、準備時間帯および出力制限時間帯以外の時間帯において、各太陽光発電所の予測発電量と予測充電量とを合計した電力量の比に応じて予測需要量を各太陽光発電所に割り振る第１の割振ステップと、制御部が、準備時間帯において、合計した電力量の比の値を、制限対象の太陽光発電所に割り振る予測需要量の割合を増やしかつ制限対象外の太陽光発電所に割り振る予測需要量の割合を減らすように補正し、補正後の比に応じて予測需要量を各太陽光発電所に割り振る第２の割振ステップと、制御部が、出力制限時間帯において、合計した電力量の比の値を、制限対象外の太陽光発電所に割り振る予測需要量の割合を増やすように補正し、補正後の比に応じて予測需要量を各太陽光発電所に割り振る第３の割振ステップと、制御部が、出力制限の要請を受けた太陽光発電所が存在しないと判断した場合に、各太陽光発電所の予測発電量と予測充電量とを合計した電力量の比に応じて予測需要量を各太陽光発電所に割り振る第４の割振ステップと、制御部が、制限対象外の太陽光発電所に対し、割り振られた予測需要量に応じた電力供給を行うための制御とともに、実際の発電量が当該予測需要量を超える場合には充電を行うための制御、実際の発電量が当該予測需要量を下回る場合には放電を行うための制御、を通常処理として行う第１の制御ステップと、制御部が、制限対象の太陽光発電所に対し、出力制限時間帯については、電力供給を制限するための制御とともに、制限を超える発電電力の充電を行うための制御、を例外処理として行い、出力制限時間帯以外の時間帯については通常処理を行う第２の制御ステップと、をコンピュータに実行させることを特徴とする。
【発明の効果】
【００１５】
本発明によれば、特定の地域の電力需要を複数の太陽光発電所の発電で賄う場合において、その地域の電力需要の不足分を補うために各発電所の電力供給量を制御することが可能となる、という効果を奏する。
【図面の簡単な説明】
【００１６】
【図１】図１は、電力供給制御装置として動作するコンピュータのハードウェア構成例を示す図である。
【図２】図２は、電力供給制御装置の機能ブロック構成の一例を示す図である。
【図３】図３は、実施例１の地域Ｘの電力需要の割り振り処理の一例を示すフローチャートである。
【図４】図４は、太陽光発電所の一日の予測発電量を示す図である。
【図５】図５は、地域Ｘの一日の予測需要量の一例を示す図である。
【図６】図６は、予測需要量の割り振りの具体例を示す図である。
【図７】図７は、予測需要量の割り振りの具体例を示す図である。
【図８】図８は、記憶部に記憶された発電所毎の予測需要量の一例を示す図である。
【図９】図９は、記憶部に記憶された発電所毎の予測需要量の一例を示す図である。
【図１０】図１０は、複数の発電所に対する電力供給制御の一例を示すフローチャートである。
【図１１】図１１は、Ａ発電所に対して実施例１の電力供給制御を実行した場合の一例を示す図である。
【図１２】図１２は、実施例２の地域Ｘの電力需要の割り振り処理の一例を示すフローチャートである。
【発明を実施するための形態】
【００１７】
以下に、本発明にかかる電力供給制御装置の実施例を図面に基づいて詳細に説明する。なお、この実施例によりこの発明が限定されるものではない。
【実施例１】
【００１８】
図１は、本実施例の電力供給制御装置として動作するコンピュータのハードウェア構成例を示す図である。図１において、本実施例のコンピュータは、ＣＰＵ（Central  Processing  Unit）およびＦＰＧＡ（Field  Programmable  Gate  Array）等で構成される制御部１と、ＲＯＭ（Read  Only  Memory），ＲＡＭ（Random  Access  Memory）等の各種メモリを含む記憶部２と、キーボード８およびマウス９等のユーザインタフェースを含む入力部３と、印刷等の出力処理を行う出力部４と、ディスプレイである表示部５と、所定のネットワークを介して外部と通信を行う通信部６とを備える。なお、図１では、キーボード８およびマウス９等のユーザインタフェースを含む入力部３を備えることとしたが、本実施例のコンピュータは、これに限らず、表示部５にタッチパネルの機能を持たせることによって、入力部３を設けない構成、または入力部３と併用する構成としてもよい。
【００１９】
図１において、制御部１では、本実施例の電力供給制御プログラムを実行する。記憶部２は、ＲＯＭ，ＲＡＭ等の内部メモリを含み、本実施例の電力供給制御プログラムおよび各種入力情報や、処理の過程で得られたデータ等を記憶する。制御部１では、記憶部２に記憶されているプログラムを読み出すことにより本実施例の電力供給制御を実行する。なお、記憶部２は、内部メモリに限るものではなく、たとえば、ＤＶＤ（Digital  Versatile  Disc）やＳＤメモリ等の外部記憶媒体であってもよいし、また、内部メモリおよび外部記憶媒体（ＤＶＤやＳＤメモリ等）の両方で構成されることとしてもよい。
【００２０】
図２は、本実施例の電力供給制御装置の機能ブロック構成の一例を示す図であり、詳細には、上記制御部１が記憶部２から電力供給制御プログラムを読み出して実行することで実現される機能ブロックを示している。図２において、制御部１は、本実施例の電力供給制御を実行するための機能ブロックとして、送受信制御部１１と制限有無判断部１２と需要量割振制御部１３と時刻管理部１４と電力調整制御部１５とを有する。なお、上記本実施例の電力供給制御装置のハードウェア構成および機能ブロック構成は、説明の便宜上、本実施例の処理にかかわる構成を列挙したものであり、電力供給制御装置のすべての機能を表現したものではない。
【００２１】
また、本実施例の電力供給制御プログラムは、通信部６およびインターネットなどのネットワークを介して配布可能である。また、このプログラムは、ハードディスク，フレキシブルディスク（ＦＤ），ＣＤ−ＲＯＭ，ＭＯ，ＤＶＤなどの、コンピュータで読み取り可能な記録媒体に記録されていてもよく、この場合は、コンピュータによって記録媒体から読み出されることによって実行される。
【００２２】
つづいて、本実施例の電力供給制御にかかる処理を、フローチャートを用いて詳細に説明する。本実施例では、上記図１および図２に示す電力供給制御装置が、特定の地域の電力需要を賄う複数の発電所を制御することによって、複数の発電所が連携して電力供給量を調整する。ここでは、一例として、３つの太陽光発電所（以下、Ａ発電所，Ｂ発電所，Ｃ発電所）が地域Ｘの電力需要を賄う場合を想定する。
【００２３】
まず、本実施例の電力供給制御装置による地域Ｘの電力需要の割り振り処理について説明する。図３は、実施例１の地域Ｘの電力需要の割り振り処理の一例を示すフローチャートである。
【００２４】
制御部１において、送受信制御部１１は、地域Ｘの電力需要を賄うＡ発電所，Ｂ発電所，Ｃ発電所それぞれの一日の発電量の予測値（以下、予測発電量（ＡＰest，ＢＰest，ＣＰest））を第１の入力情報として受け取り、記憶部２に記憶する（ステップＳ１）。各発電所の予測発電量は、地域Ｘを管轄する電力会社のコンピュータが、たとえば、天気予報や過去の発電量の実績データ等の各種パラメータに基づいてあらかじめ計算しておいた値とし、この発電量は、所定時間毎、たとえば、１時間毎の予測発電量（以下、時間別予測発電量（ＡＰestt，ＢＰestt，ＣＰestt）、ｔ＝ｔ1〜ｔn）として記憶部２に記録される。なお、予測発電量の計算方法については、上記パラメータを用いた計算方法に限定されるものではなく、どのようなパラメータに基づいて計算されたものであってもよい。図４は、太陽光発電所の一日の予測発電量を示す図であり、それぞれ（１）はＡ発電所、（２）はＢ発電所、（３）はＣ発電所の、一日の予測発電量を示す図であり、縦軸は電力量を表し、横軸は時刻を表す。本実施例では、各発電所において発電可能な時間帯（日の出〜日没）を、一例として、ＡＭ６時からの１２時間（ｔ＝ｔ1〜ｔn、ｎ＝１３）とする。
【００２５】
また、送受信制御部１１は、地域Ｘの一日の電力需要の予測値（以下、予測需要量（Ｄest））を第２の入力情報として受け取り、記憶部２に記憶する（ステップＳ２）。予測需要量は、地域Ｘを管轄する電力会社のコンピュータが、たとえば、天気予報，過去のその地域の電力需要，季節情報，地域情報，人口等、電力需要を予測するための各種パラメータに基づいて、あらかじめ計算しておいた値とし、この予測需要量は、所定時間毎、たとえば、１時間毎の予測需要量（時間別予測需要量（Ｄestt））として記憶部２に記録される。なお、予測需要量の計算方法については、上記パラメータを用いた計算方法に限定されるものではなく、どのようなパラメータに基づいて計算されたものであってもよい。図５は、地域Ｘの一日の予測需要量の一例を示す図であり、縦軸は電力量を表し、横軸は時刻を表す。本実施例では、曲線が地域Ｘの予測需要量を表し、太線に示す時刻ｔ1，ｔ2，…，ｔ12の単位で時間別予測需要量（Ｄestt）が記憶部２に記録される。
【００２６】
また、送受信制御部１１は、各発電所の出力制限情報を第３の入力情報として受け取り、記憶部２に記憶する（ステップＳ３）。第３の入力情報には、当日の出力制限の有無，出力制限の時間帯，制限時に発電所において供給可能な電力量、等の情報が含まれる。なお、ここでいう出力制限とは、あらかじめ出力に制限をかける時間帯を規定し、その時間帯については発電した電力の供給を０とする、または、電力を大幅に抑えて供給する等、発電所に対し供給可能な電力量を遠隔からコントロールすることをいう。このとき、出力制限を要請された発電所は、あくまでも出力を制限されるだけであって、通常通り発電を行うものとする。
【００２７】
なお、上記ステップＳ１〜Ｓ３において第１〜第３の入力情報を受け取る処理については、送受信制御部１１が、たとえば、電力会社のコンピュータが送信する情報を受信することとしてもよいし、自律的に電力会社のサーバにアクセスして情報を読み出すこととしてもよい。また、上記ステップＳ１〜Ｓ３の処理順は、これに限るものではなく、適宜変更可能である。
【００２８】
つぎに、制限有無判断部１２は、記憶部２から出力制限情報を読み出し、出力制限の要請を受けている発電所があるかどうかを確認する（ステップＳ４）。以下では、一例として、Ａ発電所に対し発電した電力の供給を０とする出力制限の要請がありかつＢ発電所およびＣ発電所には出力制限の要請がない第１のケースと、すべての発電所に出力制限の要請がない第２のケースにおける、地域Ｘの電力需要の割り振り処理について説明する。
【００２９】
たとえば、第２のケースにおいて、制限有無判断部１２によりすべての発電所に出力制限の要請がないと判断された場合（ステップＳ４，Ｎｏ）、需要量割振制御部１３は、まず、記憶部２から、地域Ｘの予測需要量と各発電所の予測発電量を読み出す（ステップＳ５）。そして、地域Ｘの電力需要を満たすことができるように、各発電所の予測発電量の比に応じて地域Ｘの予測需要量をそれぞれの発電所に割り振る（ステップＳ６）。図６は、第２のケースにおける、予測需要量の割り振りの具体例を示す図である。図示のように、本実施例では、需要量割振制御部１３が、各発電所の時間別予測発電量の比（ＡＰestt：ＢＰestt：ＣＰestt）に基づいて、各発電所に対し時間別予測需要量（Ｄestt）の割り振りを行う。たとえば、最初の１時間（ｔ＝ｔ1）の時間別予測発電量の比が「ＡＰestt1：ＢＰestt1：ＣＰestt1＝３：２：１」の場合、需要量割振制御部１３は、最初の１時間の時間別予測需要量（Ｄestt1）の３／６をＡ発電所に割り振り（＝Ｄestt1／２）、２／６をＢ発電所に割り振り（＝Ｄestt1／３）、１／６をＣ発電所に割り振る（＝Ｄestt1／６）。このような割り振りを、次の１時間（ｔ＝ｔ2），その次の１時間（ｔ＝ｔ3），…，最後の１時間（ｔ＝ｔ12）についても繰り返し実行する。上記のような時間別予測需要量の割り振りは、以下のような式で一般化できる。
【００３０】
Ａ発電所に割り振られた時間別予測需要量（ＡＤestt）＝
Ｄestt×｛ＡＰestt／（ＡＰestt＋ＢＰestt＋ＣＰestt）｝      …（１）
Ｂ発電所に割り振られた時間別予測需要量（ＢＤestt）＝
Ｄestt×｛ＢＰestt／（ＡＰestt＋ＢＰestt＋ＣＰestt）｝      …（２）
Ｃ発電所に割り振られた時間別予測需要量（ＣＤestt）＝
Ｄestt×｛ＣＰestt／（ＡＰestt＋ＢＰestt＋ＣＰestt）｝      …（３）
【００３１】
一方、制限有無判断部１２によって１つ以上の発電所に出力制限の要請があると判断された場合（ステップＳ４，Ｙｅｓ）、需要量割振制御部１３は、地域Ｘの電力需要を満たすことができるように予測需要量をそれぞれの発電所に割り振るが、ここではＡ発電所に要請されている出力制限を考慮し、一部第２のケースとは異なる方法で予測需要量を割り振る。具体的には、需要量割振制御部１３は、出力制限に対する準備を行うための所定時間帯として、出力制限前に準備時間帯を設け、各発電所に対する時間別予測需要量の割り振りを、「準備時間帯および出力制限時間帯」と、「それ以外の時間帯」とに分けて行う（ステップＳ７）。すなわち、「準備時間帯および出力制限時間帯」については（ステップＳ７，Ｙｅｓ）、時間別予測需要量（Ｄestt）の割り振りを上記第２のケースとは異なる方法で行い（ステップＳ８）、「それ以外の時間帯」については（ステップＳ７，Ｎｏ）、時間別予測需要量（Ｄestt）の割り振りを上記第２のケースと同様の方法で行う（ステップＳ６）。
【００３２】
ここでは、一例として、上記第１のケースを想定し、出力制限時間帯を１５時からの２時間（ｔ10，ｔ11）とし、準備時間帯を１２時からの３時間（ｔ7〜ｔ9）とし、以下、上記第２のケースと異なる処理について説明する。図７は、第１のケースにおける、予測需要量の割り振りの具体例を示す図である。「準備時間帯および出力制限時間帯」について時間別予測需要量（Ｄestt）の割り振りを行う場合（ステップＳ７，Ｙｅｓ）、まず、需要量割振制御部１３は、記憶部２から、地域Ｘの予測需要量と各発電所の予測発電量を読み出す（ステップＳ５）。
【００３３】
そして、需要量割振制御部１３は、たとえば、準備時間帯である１２時（ｔ7）からの３時間に関しては、Ａ発電所に割り振る時間別予測需要量の割合を増やしＢ，Ｃ発電所に割り振る時間別予測需要量の割合を減らすように、時刻（ｔ7，ｔ8，ｔ9）毎に各発電所の時間別予測発電量の比を補正し、各時刻における補正後の比で、各発電所に時間別予測需要量を割り振る（ステップＳ８）。
【００３４】
ステップＳ８の処理において、出力制限３時間前の１２時（ｔ7）の時間別予測発電量の比が「ＡＰestt7：ＢＰestt7：ＣＰestt7＝４：５：５」のとき、需要量割振制御部１３は、補正後の比を、Ａ発電所に割り振る時間別予測需要量の割合を増やしＢ，Ｃ発電所に割り振る時間別予測需要量の割合を減らすように、たとえば「ＡＰcorrectt7：ＢＰcorrectt7：ＣＰcorrectt7＝６：４：４」と設定する。
【００３５】
需要量割振制御部１３は、この補正後の比に従い、１２時（ｔ7）の時間別予測需要量Ｄestt7の６／１４をＡ発電所に割り振り、４／１４をＢ発電所に割り振り、４／１４をＣ発電所に割り振る（図７参照）。このような割り振りを、出力制限２時間前（ｔ＝ｔ8），出力制限１時間前（ｔ＝ｔ9）についても繰り返し実行する。なお、上記補正後の比は、これに限らず、たとえば、固定の補正係数を上記ＢＰestt7，ＣＰestt7の比の値に乗算して求めることとしてもよいし、出力制限時間帯の時間別予測需要量（Ｄestt10，Ｄestt11）の大きさや出力制限の要請がない発電所（Ｂ，Ｃ発電所）の予測発電量等に応じて適宜決定することとしてもよい。
【００３６】
一方、出力制限時間帯の１５時からの２時間（ｔ10，ｔ11）に関し、需要量割振制御部１３は、Ａ発電所に割り振る時間別予測需要量の割合を０とし、Ｂ，Ｃ発電所のみで地域Ｘの電力需要を賄うように、時刻（ｔ10，ｔ11）毎に各発電所の時間別予測発電量の比を補正し、各時刻における補正後の比で、各発電所に時間別予測需要量を割り振る（ステップＳ８）。本実施例では、一例として、Ｂ発電所とＣ発電所の時間別予測発電量の比に応じて、地域Ｘの時間別予測需要量をこの２つの発電所に割り振る。たとえば、１５時（ｔ10）の時間別予測発電量の比が「ＡＰestt10：ＢＰestt10：ＣＰestt10＝４：５：５」の場合、需要量割振制御部１３は、補正後の比を「ＡＰcorrectt10：ＢＰcorrectt10：ＣＰcorrectt10＝０：７：７」と設定する。
【００３７】
需要量割振制御部１３は、この補正後の比に従い、１５時（ｔ10）の時間別予測需要量Ｄestt10を、１／２ずつＢ発電所およびＣ発電所に割り振る（図７参照）。このような割り振りを、出力制限時間帯の１６時（ｔ11）についても実行する。
【００３８】
ステップＳ６またはステップＳ８において時間別予測需要量の割り振りを実行後、需要量割振制御部１３は、各発電所に割り振ったすべての時刻（ｔ1〜ｔ12）の時間別予測需要量を、発電所毎に記憶部２に記録する（ステップＳ９）。図８は、第２のケースで記憶部２に記憶された発電所毎の予測需要量の一例を示す図であり、図９は、第１のケースで記憶部２に記憶された発電所毎の予測需要量の一例を示す図である。
【００３９】
なお、本実施例では、ステップＳ６の処理において、各発電所の時間別予測発電量の比（ＡＰestt：ＢＰestt：ＣＰestt）に応じて各発電所に対し時間別予測需要量（Ｄestt）の割り振りを行うこととしたが、これに限るものではない。たとえば、発電所毎に時刻ｔの時間別予測発電量とその時刻における予測充電量（時間別予測充電量）とを合計した電力量である、各発電所の合計電力量の比（ＡＰestt：ＢＰestt：ＣＰestt）に応じて各発電所に対し時間別予測需要量（Ｄestt）の割り振りを行うこととしてもよい。同様に、ステップＳ８の処理においては、各発電所の合計電力量の比（ＡＰestt：ＢＰestt：ＣＰestt）を補正し、補正後の比で、各発電所に時間別予測需要量を割り振ることとしてもよい。これらステップＳ６およびＳ８を適用する実施例の場合、送受信制御部１１は、各発電所の一日の時間別予測充電量を記憶部２に記憶する。
【００４０】
また、発電所毎に時刻ｔの時間別予測発電量とその時刻における予測充電量とを合計した電力量（各発電所の合計電力量）を用いて電力需要の割り振りを行う実施例においては、たとえば、日没後（ｔ13〜）の地域Ｘの電力需要に対応して、各発電所の予測充電量に応じた予測需要量の割り振りを行うこととしてもよい。この場合、送受信制御部１１は、日没後の時間別予測需要量および時間別予測充電量についても、記憶部２に記憶することとなる。
【００４１】
つづいて、上記で説明した地域Ｘの電力需要の割り振り処理（ステップＳ１〜Ｓ９）を前提として、各発電所に対する電力供給制御を具体的に説明する。図１０は、各発電所に対する電力供給制御の一例を示すフローチャートである。本実施例では、一例として、１５時から２時間（ｔ10，ｔ11）にわたってＡ発電所に出力制限の要請があり、準備時間帯を１２時からの３時間（ｔ7〜ｔ9）とする、上記第１のケースを想定する。なお、ここでは、一例として、第１のケースを想定しているが、上記第２のケースにおいても同様の手順で電力供給制御が行われる。また、図１０の処理において、時刻管理部１４は、常時時刻を監視しているものとする。
【００４２】
制御部１において、時刻監視中（ステップＳ１１，Ｎｏ）の時刻管理部１４は、発電開始の時刻（日の出の時刻）であるＡＭ６時（ｔ1）を検出した場合（ステップＳ１１，Ｙｅｓ）、その旨を電力調整制御部１５に通知する（ステップＳ１２）。つぎに、この通知を受けた電力調整制御部１５は、記憶部２から第３の入力情報である各発電所の出力制限有無情報を読み出し、現在時刻（ｔ1）が、出力制限時間帯か、それ以外の時間帯（準備時間帯を含む）か、を確認する（ステップＳ１３）。
【００４３】
ここで、発電開始の時刻ｔ1は第１のケースでは「それ以外の時間帯」に該当するので（ステップＳ１３，Ｎｏ）、電力調整制御部１５は、上記ステップＳ８においてＡ発電所に割り振った時刻ｔ1の時間別予測需要量（ＡＤest1）を記憶部２から読み出す（ステップＳ１４）。また、電力調整制御部１５は、送受信制御部１１を介して、時刻ｔ1のＡ発電所の実際の発電量である時間別発電量（ＡＰ1）を第４の入力情報として受け取る（ステップＳ１５）。この処理については、電力調整制御部１５が、Ａ発電所の時間別発電量（ＡＰ1）を、たとえば、電力会社やＡ発電所から第４の入力情報として受け取ることとしてもよいし、自律的に電力会社やＡ発電所のサーバにアクセスして第４の入力情報として読み出すこととしてもよい。
【００４４】
そして、電力調整制御部１５は、時刻ｔ1の時間別予測需要量（ＡＤest1）と時間別発電量（ＡＰ1）とを比較し（ステップＳ１６）、たとえば、「時間別発電量（ＡＰ1）≧時間別予測需要量（ＡＤest1）」の場合には（ステップＳ１６，Ｙｅｓ）、時間別予測需要量（ＡＤest1）に対応する電力を供給するようＡ発電所に命令する処理を行い、さらに時間別発電量（ＡＰ1）が時間別予測需要量（ＡＤest1）を超える場合には超過分を蓄電池に蓄電しておくようＡ発電所に命令する処理を行う（ステップＳ１７）。一方、「時間別発電量（ＡＰ1）＜時間別予測需要量（ＡＤest1）」の場合には（ステップＳ１６，Ｎｏ）、発電した全電力を供給するようＡ発電所に命令する処理を行うとともに、さらに時間別予測需要量（ＡＤest1）に達するまで蓄電池の放電を行うようＡ発電所に命令する処理を行う（ステップＳ１８）。
【００４５】
つぎに、時刻監視を継続中（ステップＳ１９，Ｎｏ）の時刻管理部１４は、次の時刻であるＡＭ７時（ｔ2）を検出した場合（ステップＳ１９，Ｙｅｓ）、その旨を電力調整制御部１５に通知する（ステップＳ２０）。そして、この通知を受けた電力調整制御部１５は、現在時刻が日没時刻ではないので（ステップＳ２１，Ｎｏ）、記憶部２から第３の入力情報である各発電所の出力制限有無情報を読み出し、現在時刻（ｔ2）が、出力制限時間帯か、それ以外の時間帯か、を確認する（ステップＳ１３）。以降、本実施例では、出力制限の開始時刻になるまで、上記ステップＳ１３〜Ｓ２１の処理が繰り返し実行される。
【００４６】
その後、時刻の監視を継続中（ステップＳ１９，Ｎｏ）の時刻管理部１４が１５時（ｔ10）を検出し（ステップＳ１９，Ｙｅｓ）、その旨を電力調整制御部１５に通知した場合（ステップＳ２０）、この通知を受けた電力調整制御部１５は、記憶部２から第３の入力情報である各発電所の出力制限有無情報を読み出し、現在時刻（ｔ10）が、出力制限時間帯か、それ以外の時間帯か、を確認する（ステップＳ２１，Ｎｏ、ステップＳ１３）。上記第１のケースでは、１５時から２時間（ｔ10，ｔ11）にわたってＡ発電所に出力制限が要請されているので（ステップＳ１３，Ｙｅｓ）、電力調整制御部１５は、Ａ発電所に対し、電力供給を停止するよう命令する処理を行う（ステップＳ２２）。さらに、電力調整制御部１５は、Ａ発電所に対し、出力制限時間帯において発電した電力を蓄電しておくよう命令する処理を行う（ステップＳ２２）。なお、本実施例では、第１のケースを想定し、出力制限時間帯については発電した電力の供給を０としていたが、これに限らず、電力を抑えて供給する出力制限が適用されている場合には、電力調整制御部１５は、ステップＳ２２において、Ａ発電所に対し、電力供給を制限するよう命令する処理を行うとともに、制限を超える発電電力を蓄電しておくよう命令する処理を行うことになる。
【００４７】
以降、本実施例では、日没時刻（発電終了時刻）である１８時まで上記ステップＳ１３〜Ｓ２２の処理が繰り返し実行され、時刻管理部１４の監視において日没時刻が検出された場合（ステップＳ２１，Ｙｅｓ）、電力調整制御部１５は、本実施例の電力供給制御を終了する。
【００４８】
図１１は、Ａ発電所に対して本実施例の電力供給制御を実行した場合の一例を示す図である。図１１において、太線はＡ発電所に割り振られた時間別予測需要量（ＡＤestt）を表し、一点鎖線および二点鎖線はＡ発電所の時間別発電量（ＡＰ1）を表す。本実施例の電力供給制御を実行することにより、図１１に示すように、時間別発電量が時間別予測需要量（太線）を超える部分（二点鎖線の部分）については蓄電が行われ（図１０のステップＳ１７，Ｓ２２参照）、時間別発電量が時間別予測需要量（太線）を下回る部分（一点鎖線の部分）については放電が行われる（図１０のステップＳ１８参照）。これにより、発電量が足りない部分については蓄電分が充当されるため（図示の矢印参照）、Ａ発電所に割り当てられた予測需要量を満たすことが可能となる。
【００４９】
なお、上記では、一例として、第１のケースにおけるＡ発電所に対する電力供給制御（ステップＳ１１〜Ｓ２２）について説明したが、電力調整制御部１５は、Ａ発電所に対する処理と同時に、Ｂ発電所およびＣ発電所についても上記と同様の手順で図１０に示す電力供給制御を実行している。この際、Ｂ，Ｃ発電所については出力制限が要請されていないので、ステップＳ２２が実行されることはない。
【００５０】
また、本実施例において、準備時間帯（時刻ｔ7〜時刻ｔ9）については、時刻ｔ1〜時刻ｔ6，時刻ｔ12と同様の処理（ステップＳ１７およびＳ１８）が行われているが、実際には、Ａ発電所の出力制限が考慮され、Ａ発電所に割り振る予測需要量の割合を増やしＢ，Ｃ発電所に割り振る予測需要量の割合を減らすように予測需要量の割り振りが行われているため（図３のステップＳ８参照）、準備時間帯においては、割り当て分の少ないＢ，Ｃ発電所による発電の超過分を積極的に蓄電することが可能となる。これにより、Ａ発電所の出力制限時間帯において、Ｂ，Ｃ発電所の発電量だけで地域Ｘの電力需要を満たすことができない場合であっても、その電力不足を、準備時間帯におけるＢ，Ｃ発電所による蓄電分を放電することによって補うことが可能となる。
【００５１】
また、本実施例では、上述したように、地域Ｘの電力需要の割り振り処理において、日没後（ｔ13〜）の地域Ｘの電力需要に対応して、各発電所の予測充電量に応じた予測需要量の割り振りを行うことも可能である。この場合には、電力調整制御部１５は、日没以降についても、時間別予測需要量に達するまで蓄電池の放電を行うよう各発電所に命令することとなる。
【００５２】
また、本実施例では、一例として、１時間単位の処理について記載したが、これに限るものではなく、たとえば、１時間よりも短い一定時間間隔または長い一定時間間隔で処理を行うこととしてもよいし、時刻（朝、昼、夜等）に応じて処理間隔を可変としてもよい。
【００５３】
また、本実施例では、３つの太陽光発電所で地域Ｘの電力需要を賄う場合について説明したが、発電所の数および種類についてはこの限りではなく、２つ以下または４つ以上の発電所で地域Ｘの電力需要を賄うこととしてもよいし、さらには、火力，原子力，水力，風力，揚水等、太陽光以外の発電所と連携して地域Ｘの電力需要を賄うこととしてもよい。
【００５４】
以上のように、本実施例においては、制御部１が、図３に示す地域Ｘの電力需要の割り振り処理と、図１０に示す各発電所に対する電力供給制御を実行することとした。これにより、特定の地域の電力需要を複数の太陽光発電所の発電で賄う場合において、その地域の電力需要の不足分を補うために各発電所の電力供給量を制御することが可能となる。
【実施例２】
【００５５】
実施例１では、図３に示す地域Ｘの電力需要の割り振り処理を、図１０に示す各発電所に対する電力供給制御の前、すなわち、太陽光発電所による発電の開始前に完了していた。実施例２では、図１２示す地域Ｘの電力需要の割り振り処理と、図１０に示す各発電所に対する電力供給制御を、並行して行う構成とした。
【００５６】
なお、本実施例の電力供給制御装置として動作するコンピュータのハードウェア構成、および本実施例の電力供給制御装置の機能ブロック構成については、前述した実施例１と同様である。
【００５７】
つづいて、本実施例の電力供給制御にかかる処理を、フローチャートを用いて詳細に説明する。図１２は、実施例２の地域Ｘの電力需要の割り振り処理の一例を示すフローチャートである。本実施例では、実施例１と同様に、一例として、３つの太陽光発電所（Ａ発電所，Ｂ発電所，Ｃ発電所）が地域Ｘの電力需要を賄う場合を想定する。また、各発電所において発電可能な時間帯（日の出〜日没）も、前述同様、ＡＭ６時からの１２時間（ｔ＝ｔ1〜ｔn、ｎ＝１３）とする。本実施例では、説明の便宜上、上記第１のケースを想定して図１２の処理を説明するが、これは一例であり、上記第２のケースおよびその他のケースについても、図１２のフローチャートを用いて同様に処理可能である。以下、前述した実施例１と異なる処理について説明する。
【００５８】
制御部１において、時刻監視中（ステップＳ３１，Ｎｏ）の時刻管理部１４は、発電開始の時刻（日の出の時刻）の１時間前であるＡＭ５時（ｔ0）を検出した場合（ステップＳ３１，Ｙｅｓ）、その旨を制限有無判断部１２および需要量割振制御部１３に通知する（ステップＳ３２）。
【００５９】
この通知を受けた需要量割振制御部１３は、送受信制御部１１に対し、第３の入力情報として各発電所の出力制限情報（当日の出力制限の有無，出力制限の時間帯，制限時に供給可能な電力量等）の読み出しを命じる。送受信制御部１１は、各発電所の出力制限情報を第３の入力情報として受け取り、記憶部２に記憶する（ステップＳ３３）。この時点で、制限有無判断部１２は、出力制限情報を確認し、Ａ発電所に出力制限の要請があり、その出力制限時間帯が１５時からの２時間（ｔ10，ｔ11）であることを需要量割振制御部１３に通知する。この通知を受けた需要量割振制御部１３は、出力制限に対する準備を行うための準備時間帯を１２時からの３時間（ｔ7〜ｔ9）とし、以下の制御を行う。
【００６０】
需要量割振制御部１３は、送受信制御部１１に対し、第１の入力情報として時刻ｔ1の時間別予測発電量（ＡＰestt1，ＢＰestt1，ＣＰestt1）の読み出しを命じる。送受信制御部１１は、時刻ｔ1の時間別予測発電量（ＡＰestt1，ＢＰestt1，ＣＰestt1）を第１の入力情報として受け取り、記憶部２に記憶する（ステップＳ３４）。なお、読み出した時刻ｔ1の時間別予測発電量（ＡＰestt1，ＢＰestt1，ＣＰestt1）は、時刻ｔ0の時点において電力会社のサーバが保有する最新の予測値とする。
【００６１】
また、需要量割振制御部１３は、送受信制御部１１に対し、第２の入力情報として時刻ｔ1の時間別予測需要量（Ｄestt1）の読み出しを命じる。送受信制御部１１は、時刻ｔ1の時間別予測需要量（Ｄestt1）を第２の入力情報として受け取り、記憶部２に記憶する（ステップＳ３５）。なお、読み出した時刻ｔ1の時間別予測需要量（Ｄestt1）は、時刻ｔ0の時点において電力会社のサーバが保有する最新の予測値とする。
【００６２】
ここで、需要量割振制御部１３は、時刻ｔ1が「準備時間帯および出力制限時間帯」にあたるのか、「それ以外の時間帯」にあたるのかを確認する（ステップＳ３６）。上記第１のケースでは、時刻ｔ1は「それ以外の時間帯」にあたるので（ステップＳ３６，Ｎｏ）、需要量割振制御部１３は、記憶部２から、時刻ｔ1の時間別予測発電量（ＡＰestt1，ＢＰestt1，ＣＰestt1）と、時刻ｔ1の時間別予測需要量（Ｄestt1）とを読み出す（ステップＳ３７）。そして、地域Ｘの時刻ｔ1の電力需要を満たすことができるように、各発電所の時間別予測発電量の比（ＡＰestt1：ＢＰestt1：ＣＰestt1）に応じて、地域Ｘの時刻ｔ1の時間別予測需要量（Ｄestt1）をそれぞれの発電所に割り振る（ステップＳ３８）。時間別予測需要量（Ｄestt1）の割り振りには、前述の実施例１と同様に、上記（１）式〜（３）式が適用可能である。
【００６３】
ステップＳ３８において時刻ｔ1の時間別予測需要量の割り振りを実行後、需要量割振制御部１３は、各発電所に割り振った時刻ｔ1の時間別予測需要量（ＡＤestt1，ＢＤestt1，ＣＤestt1）を、発電所毎に記憶部２に記録する（ステップＳ３９）。
【００６４】
一方で、時刻監視を継続中（ステップＳ４０，Ｎｏ）の時刻管理部１４は、次の時刻であるＡＭ６時（ｔ1）を検出した場合（ステップＳ４０，Ｙｅｓ）、その旨を需要量割振制御部１３に通知する（ステップＳ４１）。そして、この通知を受けた需要量割振制御部１３は、現在時刻が日没時刻の１時間前（ｔ12）ではないので（ステップＳ４２，Ｎｏ）、再びステップＳ３４の処理に移行し、以降、時刻ｔ1の時点において、時刻ｔ2の時間別予測需要量（Ｄestt2）の各発電所への割り振りを開始する。その後、第１のケースにおいては、準備時間帯の開始時刻１２（ｔ7）の時間別予測需要量（Ｄestt2）の割り振りが開始されるまで、すなわち、ステップＳ４０の処理において、時刻監視を継続中の時刻管理部１４に時刻ｔ6が検出されるまで、時刻ｔ2〜ｔ5において、上記ステップＳ３４〜Ｓ４２の処理が繰り返し実行される。
【００６５】
その後、時刻の監視を継続中（ステップＳ４０，Ｎｏ）の時刻管理部１４が準備時間帯の開始時刻の１時間前である１１時（ｔ6）を検出し（ステップＳ４０，Ｙｅｓ）、その旨を需要量割振制御部１３に通知した場合（ステップＳ４１）、この通知を受けた需要量割振制御部１３は、現在時刻が日没時刻の１時間前（ｔ12）ではないので（ステップＳ４２，Ｎｏ）、送受信制御部１１に対し、時刻ｔ7の時間別予測発電量（ＡＰestt7，ＢＰestt7，ＣＰestt7）の読み出しを命じる。送受信制御部１１は、受信した時刻ｔ7の時間別予測発電量（ＡＰestt7，ＢＰestt7，ＣＰestt7）を記憶部２に記憶する（ステップＳ３４）。また、需要量割振制御部１３は、送受信制御部１１に対し、時刻ｔ7の時間別予測需要量（Ｄestt7）の読み出しを命じる。送受信制御部１１は、受信した時刻ｔ7の時間別予測需要量（Ｄestt7）を記憶部２に記憶する（ステップＳ３５）。
【００６６】
ここで、需要量割振制御部１３は、時刻ｔ7が「準備時間帯および出力制限時間帯」にあたるのか、「それ以外の時間帯」にあたるのかを確認する（ステップＳ３６）。第１のケースでは、時刻ｔ7は「準備時間帯」にあたるので（ステップＳ３６，Ｙｅｓ）、需要量割振制御部１３は、記憶部２から、時刻ｔ7の時間別予測発電量（ＡＰestt7，ＢＰestt7，ＣＰestt7）と、時刻ｔ7の時間別予測需要量（Ｄestt7）とを読み出す（ステップＳ３７）。そして、需要量割振制御部１３は、準備時間帯については、Ａ発電所に割り振る時間別予測需要量の割合を増やしＢ，Ｃ発電所に割り振る時間別予測需要量の割合を減らすように、各発電所の時刻ｔ7の時間別予測発電量の比を補正し、この補正後の比で、各発電所に対し時刻ｔ7の時間別予測需要量を割り振る（ステップＳ４３）。
【００６７】
たとえば、ステップＳ４３の処理において、出力制限３時間前の１２時（ｔ7）の時間別予測発電量の比が「ＡＰestt7：ＢＰestt7：ＣＰestt7＝４：５：５」のとき、需要量割振制御部１３は、実施例１と同様に、補正後の比を、Ａ発電所に割り振る時間別予測需要量の割合を増やしＢ，Ｃ発電所に割り振る時間別予測需要量の割合を減らすように、たとえば「ＡＰcorrectt7：ＢＰcorrectt7：ＣＰcorrectt7＝６：４：４」と設定する。
【００６８】
需要量割振制御部１３は、この補正後の比に従い、１２時（ｔ7）の時間別予測需要量Ｄestt7の６／１４をＡ発電所に割り振り、４／１４をＢ発電所に割り振り、４／１４をＣ発電所に割り振る（図７参照）。
【００６９】
上記ステップＳ４３において時刻ｔ7の時間別予測需要量の割り振りを実行後、需要量割振制御部１３は、各発電所に割り振った時刻ｔ7の時間別予測需要量（ＡＤestt7，ＢＤestt7，ＣＤestt7）を、発電所毎に記憶部２に記録する（ステップＳ３９）。
【００７０】
一方で、時刻監視を継続中（ステップＳ４０，Ｎｏ）の時刻管理部１４は、次の時刻である１２時（ｔ7）を検出した場合（ステップＳ４０，Ｙｅｓ）、その旨を需要量割振制御部１３に通知する（ステップＳ４１）。そして、この通知を受けた需要量割振制御部１３は、現在時刻が日没時刻の１時間前（ｔ12）ではないので（ステップＳ４２，Ｎｏ）、再びステップＳ３４の処理に移行し、時刻ｔ7の時点において、時刻ｔ8の時間別予測需要量（Ｄestt8）の各発電所への割り振りを開始する。その後、第１のケースにおいては、出力制限時間帯である時刻ｔ10の時間別予測需要量（Ｄestt10）の割り振りが開始されるまで、すなわち、ステップＳ４０の処理において、時刻監視を継続中の時刻管理部１４に時刻ｔ9が検出されるまで、準備時間帯における上記ステップＳ３４〜Ｓ４３の処理が繰り返し実行される。
【００７１】
その後、時刻の監視を継続中（ステップＳ４０，Ｎｏ）の時刻管理部１４が出力制限１時間前の１４時（ｔ9）を検出し（ステップＳ４０，Ｙｅｓ）、その旨を需要量割振制御部１３に通知した場合（ステップＳ４１、ステップＳ４２，Ｎｏ）、この通知を受けた需要量割振制御部１３は、上記と同様の手順で、時刻ｔ10の時間別予測発電量（ＡＰestt10，ＢＰestt10，ＣＰestt10）、および時刻ｔ10の時間別予測需要量（Ｄestt10）を取得するための制御を行う（ステップＳ３４、Ｓ３５）。
【００７２】
第１のケースでは、時刻ｔ10は「出力制限時間帯」にあたるので（ステップＳ３６，Ｙｅｓ）、需要量割振制御部１３は、記憶部２から、時刻ｔ10の時間別予測発電量（ＡＰestt10，ＢＰestt10，ＣＰestt10）と、時刻ｔ10の時間別予測需要量（Ｄestt10）とを読み出す（ステップＳ３７）。そして、需要量割振制御部１３は、出力制限時間帯については、Ａ発電所に割り振る時間別予測需要量の割合を０とし、Ｂ，Ｃ発電所のみで地域Ｘの電力需要を賄うように、各発電所の時刻ｔ10の時間別予測発電量の比を補正し、この補正後の比で、各発電所に時刻ｔ10の時間別予測需要量を割り振る（ステップＳ４３）。
【００７３】
たとえば、上記ステップＳ４３の処理において、１５時（ｔ10）の時間別予測発電量の比が「ＡＰestt10：ＢＰestt10：ＣＰestt10＝４：５：５」の場合、需要量割振制御部１３は、実施例１と同様に、補正後の比を「ＡＰcorrectt10：ＢＰcorrectt10：ＣＰcorrectt10＝０：７：７」と設定する。
【００７４】
需要量割振制御部１３は、この補正後の比に従い、１５時（ｔ10）の時間別予測需要量Ｄestt10を、１／２ずつＢ発電所およびＣ発電所に割り振る（図７参照）。
【００７５】
以降、本実施例では、日没時刻の１時間前である１７時（ｔ12）が検出されるまで上記ステップＳ３４〜Ｓ４３の処理が繰り返し実行され、時刻管理部１４の監視において１７時（ｔ12）が検出された場合（ステップＳ４２，Ｙｅｓ）、需要量割振制御部１３は、各発電所への時間別予測需要量の割り振りを終了する。
【００７６】
なお、実施例２において、各発電所に対する電力供給制御については、前述した実施例１の図１０と同様である。
【００７７】
以上のように、本実施例においては、制御部１が、図１２に示す地域Ｘの電力需要の割り振り処理と、図１０に示す各発電所に対する電力供給制御を実行することとした。これにより、特定の地域の電力需要を複数の太陽光発電所の発電で賄う場合において、その地域の電力需要の不足分を補うために各発電所の電力供給量を制御することが可能となる。
【００７８】
また、本実施例においては、図１２示す地域Ｘの電力需要の割り振り処理と、図１０に示す各発電所に対する電力供給制御を、並行して行う構成とした。すなわち、図１０に示す各発電所に対する電力供給制御における時刻単位の処理を、現在時刻の直前の時刻における予測値（時間別予測発電量および時間別予測需要量）に基づいて割り振られた各発電所の時間別予測需要量を用いて実行することとした。これにより、実施例１よりもさらに精度の高い電力需要の割り振り処理が可能となり、太陽光発電所の実際の発電量とその発電所に割り振られた電力需要との差を小さくすることができる。すなわち、本実施例においては、各発電所に対する電力供給量の制御幅を小さくすることができる。また、電力需要の割り振り処理の精度が向上し、太陽光発電所の実際の発電量とその発電所に割り振られた電力需要との差を小さくすることができれば、発電所に備える蓄電池をより小さくかつ安価にすることが可能となる。
【００７９】
なお、上記実施例１，実施例２では、地域Ｘの電力需要の割り振り処理（図３，図１２）と、各発電所に対する電力供給制御（図１０）とを実行することとしたが、たとえば、図３または図１２の割り振り処理を用いずに予め各発電所に対して固定の需要量を割り当てておき、各発電所に対する充放電の制御（図１０）で地域Ｘの電力需要を満たすように制御部１を動作させることとしてもよい。
【符号の説明】
【００８０】
１  制御部
２  記憶部
３  入力部
４  出力部
５  表示部
６  通信部
８  キーボード
９  マウス
１１  送受信制御部
１２  制限有無判断部
１３  需要量割振制御部
１４  時刻管理部
１５  電力調整制御部
【図１】
0006470997.tif 000002
【図２】
0006470997.tif 000003
【図３】
0006470997.tif 000004
【図４】
0006470997.tif 000005
【図５】
0006470997.tif 000006
【図６】
0006470997.tif 000007
【図７】
0006470997.tif 000008
【図８】
0006470997.tif 000009
【図９】
0006470997.tif 000010
【図１０】
0006470997.tif 000011
【図１１】
0006470997.tif 000012
【図１２】
0006470997.tif 000013